(57)【要約】【課題】光スイッチを用いるシステムにおいて、光ネットワーク装置をディスカバリするための通信帯域の削減と、光ネットワーク装置における消費電力を削減する。【解決手段】光回線装置、ユーザ端末と接続される複数の光ネットワーク装置及び光通信路切替装置を備える光アクセスシステムにおいて、光回線装置は、第１の光ネットワーク装置から第１の時間通信がない場合、第１の光ネットワーク装置を未登録状態にする要求を、第１の光ネットワーク装置に送信し、第１の光ネットワーク装置は、前記要求を光回線装置から受信した場合、第１の光ネットワーク装置を未登録状態にし、光回線装置は、第２の時間、第１の光ネットワーク装置をディスカバリの対象としないか、又は、第１の光ネットワーク装置のディスカバリの優先度を低くする。【選択図】図１
2010239278.tif 000002
【特許請求の範囲】
【請求項１】
他のネットワークと接続される光回線装置、各々がユーザ端末と接続される複数の光ネットワーク装置、及び、前記光回線装置と前記光ネットワーク装置との間に接置され、前記光回線装置と前記複数の光ネットワーク装置との間の光通信路を切り替える光通信路切替装置を備える光アクセスシステムにおいて、
前記光回線装置は、第１の前記光ネットワーク装置から、第１の時間通信がない場合、前記第１の光ネットワーク装置を未登録状態にする要求を、前記第１の光ネットワーク装置に送信し、
前記第１の光ネットワーク装置は、
前記要求を前記光回線装置から受信した場合、前記第１の光ネットワーク装置を未登録状態にし、
前記光回線装置は、前記第１の光ネットワーク装置を、第２の時間ディスカバリの対象としないか、又は、前記第１の光ネットワーク装置のディスカバリの優先度を第２の時間低くすることを特徴とする光アクセスシステム。
【請求項２】
前記光回線装置は、
前記第１の光ネットワーク装置を前記第２の時間ディスカバリの対象としない場合、
前記第２の時間が経過した後、前記第１の光ネットワーク装置のディスカバリの優先度を低くすることを特徴とする請求項１に記載の光アクセスシステム。
【請求項３】
前記光回線装置は、前記第１の光ネットワーク装置の電源を遮断する要求を、前記第１の光ネットワーク装置に送信し、
前記第１の光ネットワーク装置は、
前記要求を前記光回線装置から受信した場合、前記第１の光ネットワーク装置の光回線回路と光送受信器とのうち少なくとも一方の電源を遮断し、
前記ユーザ端末から通信があった場合、又は、第３の時間が経過した場合、前記遮断した電源を投入することを特徴とする請求項１に記載の光アクセスシステム。
【請求項４】
前記光回線装置は、前記第１の光ネットワーク装置の電源を一時的に遮断する要求を、前記第１の光ネットワーク装置に送信し、
前記第１の光ネットワーク装置は、
前記要求を前記光回線装置から受信した場合、前記第１の光ネットワーク装置の光回線回路の電源を遮断し、
前記ユーザ端末から通信があった場合、又は、前記光回線装置から通信があった場合、前記遮断した電源を投入することを特徴とする請求項１に記載の光アクセスシステム。
【請求項５】
第２の前記光ネットワーク装置は、前記ユーザ端末から、第４の時間通信がない場合、前記第２の光ネットワーク装置を第５の時間ディスカバリの対象としない要求、及び前記第２の光ネットワーク装置を未登録状態にする要求、又は、前記第２の光ネットワーク装置のディスカバリの優先度を第５の時間低くする要求、及び前記第２の光ネットワーク装置を未登録状態にする要求を、前記光回線装置に送信し、
前記光回線装置は、
前記第２の光ネットワーク装置を未登録状態にし、
前記第２の光ネットワーク装置を第５の時間ディスカバリの対象としないか、又は、前記第２の光ネットワーク装置のディスカバリの優先度を第５の時間低くすることを特徴とする請求項１に記載の光アクセスシステム。
【請求項６】
前記第２の光ネットワーク装置は、
前記第２の光ネットワーク装置の光回線回路と光送受信器とのうち少なくとも一方の電源を遮断し、
前記ユーザ端末から通信があった場合、又は、第６の時間が経過した場合、前記遮断した電源を投入することを特徴とする請求項５に記載の光アクセスシステム。
【請求項７】
前記第２の光ネットワーク装置は、
前記第２の光ネットワーク装置の光送受信器の電源を遮断し、
前記ユーザ端末から通信があった場合、又は、前記光回線装置から通信があった場合、前記遮断した電源を投入することを特徴とする請求項５に記載の光アクセスシステム。
【請求項８】
複数の光ネットワーク装置と光通信路切替装置を介して接続され、他のネットワークと接続される光回線装置において、
前記第１の光ネットワーク装置から、第１の時間通信がない場合、前記第１の光ネットワーク装置を未登録状態にする要求を、前記第１の光ネットワーク装置に送信し、
前記第１の光ネットワーク装置を第２の時間ディスカバリの対象としないか、又は、前記第１の光ネットワーク装置のディスカバリの優先度を第２の時間低くすることを特徴とする光回線装置。
【請求項９】
前記第１の光ネットワーク装置を前記第２の時間ディスカバリの対象としない場合、
前記第２の時間が経過した後、前記第１の光ネットワーク装置のディスカバリの優先度を低くすることを特徴とする請求項８に記載の光回線装置。
【請求項１０】
前記第１の光ネットワーク装置の電源を遮断する要求を、前記第１の光ネットワーク装置に送信することを特徴とする請求項８に記載の光回線装置。
【請求項１１】
前記第１の光ネットワーク装置の電源を一時的に遮断する要求を、前記第１の光ネットワーク装置に送信することを特徴とする請求項８に記載の光回線装置。
【請求項１２】
他のネットワークと接続される光回線装置と、光通信路切替装置を介して接続され、各々がユーザ端末と接続される光ネットワーク装置において、
第２の前記光ネットワーク装置は、前記ユーザ端末から、第４の時間通信がない場合、前記第２の光ネットワーク装置を第５の時間ディスカバリの対象としないか、又は、前記第２の光ネットワーク装置のディスカバリの優先度を第５の時間低くする要求と、前記第２の光ネットワーク装置を未登録状態にする要求とを、前記光回線装置に送信することを特徴とする光ネットワーク装置。
【請求項１３】
前記第２の光ネットワーク装置の光回線回路と光送受信器とのうち少なくとも一方の電源を遮断し、
前記ユーザ端末から通信があった場合、又は、第６の時間が経過した場合、前記遮断した電源を投入することを特徴とする請求項１２に記載の光ネットワーク装置。
【請求項１４】
前記第２の光ネットワーク装置の光回線回路の電源を遮断し、
前記ユーザ端末から通信があった場合、又は、前記光回線装置から通信があった場合、前記遮断した電源を投入することを特徴とする請求項１２に記載の光ネットワーク装置。
【発明の詳細な説明】
【技術分野】
【０００１】
本発明は、光アクセスシステムに関し、特に光スイッチを備える光アクセスシステムにおいて、通信帯域の利用率を向上させる技術に関するものである。
【背景技術】
【０００２】
近年、アクセスネットワークは、高速化が進んでおり、光ファイバを用いたＦＴＴＨ（Ｆｉｂｅｒ  Ｔｏ  Ｔｈｅ  Ｈｏｍｅ）が普及しつつある。ＦＴＴＨの代表例には、ＰＯＮ（Ｐａｓｓｉｖｅ  Ｏｐｔｉｃａｌ  Ｎｅｔｗｏｒｋ）システム及び光スイッチシステムなどが挙げられる。
【０００３】
図１３は、従来技術の光スイッチシステム７０の構成を示すブロック図である。
【０００４】
図１３に示す光スイッチシステム７０は、ユーザが使用する端末１０−１〜１０−Ｎ（以後、総称して端末１０と表記）と通信する複数（図１３において、Ｎ個）の光ネットワーク装置であるＯＮＵ２０−１〜２０−Ｎ（Ｏｐｔｉｃａｌ  Ｎｅｔｗｏｒｋ  Ｕｎｉｔ、以後、総称してＯＮＵ２０と表記）と、ゲートウェイ５０を介してバックボーンネットワーク６０と通信する光回線装置ＯＬＴ４０（Ｏｐｔｉｃａｌ  Ｌｉｎｅ  Ｔｅｒｍｉｎａｌ、以後、ＯＬＴ４０と表記）とを備え、複数のＯＮＵ２０とＯＬＴ４０とを接続する光通信路切替装置３０（以後、光スイッチ３０と表記）を備える。
【０００５】
光スイッチシステム７０を提供する方法は、従来技術に開示されている（例えば、特許文献１及び特許文献２参照）。
【０００６】
光スイッチシステム７０は、ＯＮＵ２０に送信する光信号の減衰が少ない光スイッチ３０を用いることによって、ＯＬＴ４０と一つの任意のＯＮＵ２０とだけを接続する。このため、光スイッチシステム７０は、ＰＯＮシステムと比較して、通信の秘匿性の向上、収容されるＯＮＵ２０の数の増加、及びＯＮＵ２０の伝送距離の向上といった点においてメリットがある。
【０００７】
前述の通り、光スイッチシステム７０は、収容されるＯＮＵ２０の数を増加させることができるというメリットがある。その一方で、光スイッチシステム７０は、有効な通信がないＯＮＵ２０にも生存の確認（ｋｅｅｐ−ａｌｉｖｅ  ｃｈｅｃｋ）のため通信帯域を割り当てるため、ＯＮＵ２０あたりの有効な通信帯域が減少してしまうというデメリットがある。
【０００８】
従来のＰＯＮシステムは、ＯＮＵ２０の初期登録をする際、すべてのＯＮＵ２０に各々の生存を確認し、指定時間内に応答があったＯＮＵ２０を順次初期登録する。すなわち、ＰＯＮシステムは、複数のＯＮＵ２０からの応答を並行して待つため、すべてのＯＮＵ２０のうち応答してきたすべてのＯＮＵ２０を指定時間内に初期登録することができる。
【０００９】
一方で、光スイッチシステム７０は、ＯＮＵ２０の初期登録の際、一つのＯＮＵ２０に生存を確認し、各々のＯＮＵ２０に割り当てられた時間待ち、生存の確認に応答があったＯＮＵ２０を初期登録する。そして、光スイッチシステム７０は、一つのＯＮＵ２０の初期登録が終わった後に、次のＯＮＵ２０に生存を確認し、初期登録することを繰り返す。
【００１０】
すなわち、光スイッチシステム７０は、各々のＯＮＵ２０からの応答を直列に待つため、すべてのＯＮＵ２０を指定時間内に初期登録する場合は、各々のＯＮＵ２０に生存を確認するための待機時間（通信帯域）を割り当てる必要がある。
【００１１】
そして、光スイッチシステム７０は、ＯＮＵ２０の数が増加した場合、各々のＯＮＵ２０に割り当てられる有効な通信帯域を減少させる。
【００１２】
前述の通り、光スイッチシステム７０は、ＰＯＮシステムよりも、生存の確認のための通信帯域を多く割り当てる必要がある。
【００１３】
また、ユーザが端末を使用していないなど、実際の有効な通信がないＯＮＵ２０も、待機電力を消費しているため、ＯＮＵ２０が通信しない時間が十分長い場合ＯＮＵ２０が余計に電力を消費する。
【先行技術文献】
【特許文献】
【００１４】
【特許文献１】特開２００７−１７４１２３号公報
【特許文献２】特開２００７−０６７９４８号公報
【発明の概要】
【発明が解決しようとする課題】
【００１５】
有効な通信のないＯＮＵ２０が、通信帯域を消費することを防ぐ。また、有効な通信のないＯＮＵ２０の省電力化を図る。
【課題を解決するための手段】
【００１６】
本発明の代表的な一例を示せば以下の通りである。すなわち、他のネットワークと接続される光回線装置、各々がユーザ端末と接続される複数の光ネットワーク装置、及び、前記光回線装置と前記光ネットワーク装置との間に接置され、前記光回線装置と前記複数の光ネットワーク装置との間の光通信路を切り替える光通信路切替装置を備える光アクセスシステムにおいて、前記光回線装置は、第１の前記光ネットワーク装置から、第１の時間通信がない場合、前記第１の光ネットワーク装置を未登録状態にする要求を、前記第１の光ネットワーク装置に送信し、前記第１の光ネットワーク装置は、前記要求を、前記光回線装置から受信すると、前記第１の光ネットワーク装置を未登録状態にし、前記光回線装置は、第２の時間、前記第１の光ネットワーク装置をディスカバリの対象としないか、又は、前記第１の光ネットワーク装置のディスカバリの優先度を低くする。
【発明の効果】
【００１７】
本発明の一実施形態によると、有効に通信するＯＮＵ２０にも、通信帯域が割り当てられるため、通信帯域を有効に利用できる。
【図面の簡単な説明】
【００１８】
【図１】本発明の第１の実施形態のディスカバリ対象の変更を示す説明図である。
【図２】本発明の第１の実施形態のＯＬＴの処理を示すフローチャートである。
【図３】本発明の第１の実施形態のＯＬＴの処理を示すフローチャートである。
【図４】本発明の第１の実施形態のＯＬＴの処理を示すフローチャートである。
【図５】本発明の第１の実施形態のＯＮＵの処理を示すフローチャートである。
【図６】本発明の第２の実施形態のＯＮＵの構成を示すブロック図である。
【図７】本発明の第２の実施形態のＯＬＴの処理を示すフローチャートである。
【図８】本発明の第２の実施形態のＯＮＵの処理を示すフローチャートである。
【図９】本発明の第３の実施形態のＯＮＵの処理を示すフローチャートである。
【図１０】本発明の第３の実施形態のＯＬＴの処理を示すフローチャートである。
【図１１】本発明の第３の実施形態のＯＬＴの処理を示すフローチャートである。
【図１２】本発明の第４の実施形態のＯＮＵの処理を示すフローチャートである。
【図１３】従来技術の光スイッチシステムの構成を示すブロック図である。
【発明を実施するための形態】
【００１９】
（第１の実施形態）
本発明の第１の実施形態において用いられる光スイッチシステムの構成は、図１３に示す光スイッチシステム７０の構成と同じである。従来、ＯＬＴ４０は、初期登録の対象を探す段階（ディスカバリフェーズ）において未登録のＯＮＵ２０を検出して初期登録し、以後、ネットワークの途絶などの問題が発生しない限り、ＯＮＵ２０は登録され続ける。なお、初期登録する対象を探索することをディスカバリと表記する。
【００２０】
一般的にＯＮＵ２０には、例えば、ユーザが在宅していない時間帯又はユーザが通信機器を利用していない時間帯が存在する。ＯＮＵ２０が利用されていない時間帯において、利用されていないＯＮＵ２０の登録状態を維持することは、通信している別のＯＮＵ２０の通信帯域を圧迫する要因になりうる。
【００２１】
図１は、本発明の第１の実施形態のディスカバリ対象の変更を示す説明図である。
【００２２】
図１に示す光スイッチ３０には、初期登録が終了している端末１０−３及び端末１０−４と、ＯＮＵ２０−３及びＯＮＵ２０−４とが含まれる群９００、並びに、初期登録がされていない未登録の端末１０−１及び端末１０−２と、ＯＮＵ２０−１及びＯＮＵ２０−２とが含まれる群８００が接続される。図１に示すＯＮＵ２０−３は、指定時間、端末１０−３から光スイッチ３０に通信すべきデータが送信されない場合のＯＮＵ２０を示す。
【００２３】
図１に示すＯＮＵ２０−３は、第１の実施形態において、通信すべきデータが指定時間送信されない場合、すなわち、ＯＬＴ４０に指定時間通信すべきデータを送信しない場合、登録を解除され、未登録の状態になる。さらに、図１に示すＯＮＵ２０−３は、ディスカバリの対象から外されるか、又は、ディスカバリの優先度を低下させられる。また、ＯＮＵ２０−３は、必要に応じて、光回線側の電源を遮断される。これによって、本発明の光スイッチシステム７０は、光スイッチシステム７０の消費電力を削減する。
【００２４】
光スイッチシステム７０が、前述の図１に示すＯＮＵ２０−３の登録を解除し、ＯＮＵ２０−３をディスカバリの対象から外し、又はＯＮＵ２０−３へのディスカバリの優先順位を低下させる手順について、後述する。
【００２５】
図２は、本発明の第１の実施形態のＯＬＴ４０の処理を示すフローチャートである。
【００２６】
ＯＬＴ４０は、任意のＯＮＵ２０のうち指定時間通信を要求しないＯＮＵ２０があるか否かを判定する（Ｓ３０１）。指定時間通信を要求しないＯＮＵ２０がある場合、ＯＬＴ４０は、指定時間通信を要求しなかったＯＮＵ２０の登録を解除するため、通信を要求しなかったＯＮＵ２０に、登録を解除する要求を送信する（Ｓ３０２）。
【００２７】
Ｓ３０１において、指定時間通信を要求しないＯＮＵ２０がないと判定された場合、ＯＬＴ４０は、図２に示す処理を終了する。なお、Ｓ３０１に示す指定時間とはＯＬＴ４０の管理者が任意に設定する時間であり、常に同じ値である必要はない。また、Ｓ３０１に示す指定時間は、光スイッチシステム７０が満たすべき要件、又は、ユーザの契約に基づいて、管理者によってあらかじめ定められてもよい。また、図２に示す処理は、処理が終了した後も、管理者によって、任意の時間間隔において自動又は手動によって実行される。
【００２８】
ＯＬＴ４０は、光スイッチシステム７０において、光スイッチ３０の性質のために、全ＯＮＵ２０にブロードキャストできない。このため、ＯＬＴ４０は、光スイッチ３０に備わるポートを一つ選択し、特定の一つのＯＮＵ２０を選択して、選択したＯＮＵ２０と通信する。ディスカバリにおいても、ＯＬＴ４０は特定のＯＮＵ２０を選択し、ディスカバリする。
【００２９】
ディスカバリにおけるもっとも簡易なＯＮＵ２０を選択する方法は、未登録のＯＮＵ２０をラウンドロビン順に選択する方法である。ＯＬＴ４０は、あらかじめ未登録のＯＮＵ２０のリストをＯＬＴ４０自らのメモリに含み、未登録のＯＮＵ２０のリストの中からディスカバリするＯＮＵ２０をラウンドロビンの順番に選択する。
【００３０】
ＯＬＴ４０は、図２に示すＳ３０２における登録を解除する要求をＯＮＵ２０に送信した後、Ｓ３０１に示す指定時間とは異なる任意の指定時間が経過しているか否かを判定する（Ｓ３０３）。任意の指定時間が経過していない場合、登録を解除する要求を送信したＯＮＵ２０はまだディスカバリの対象になるべきではないため、ＯＬＴ４０は、ディスカバリフェーズにおいても、登録を解除する要求を送信したＯＮＵ２０をディスカバリの対象としない（Ｓ３０５）。なお、Ｓ３０３に示す指定時間は、光スイッチシステム７０が満たすべき要件、又は、ユーザの契約に基づいて、管理者によってあらかじめ定められてもよい。
【００３１】
ＯＬＴ４０は、Ｓ３０５において、ディスカバリにおけるラウンドロビンの順番からＯＮＵ２０を外すことによって、ＯＮＵ２０へディスカバリしない。Ｓ３０５の後、ＯＬＴ４０は、Ｓ３０３の処理に戻る。
【００３２】
Ｓ３０３において、指定時間が経過したと判定される場合、ＯＬＴ４０は、ＯＮＵ２０をディスカバリの対象とする（Ｓ３０４）。
【００３３】
前述の図２に示す処理によって、ＯＬＴ４０は、指定時間通信のないＯＮＵ２０を指定期間未登録状態にすることができ、当該ＯＮＵ２０による無駄な帯域消費を削減できる。この結果、ＯＬＴ４０は、通信のあるＯＮＵ２０によって光スイッチシステム７０の通信帯域を有効利用することができる。
【００３４】
図３は、本発明の第１の実施形態のＯＬＴ４０の処理を示すフローチャートである。
【００３５】
図３に示すＳ３１１、Ｓ３１２、及びＳ３１３は、図２に示すＳ３０１、Ｓ３０２、及びＳ３０３と同じである。図３に示すフローチャートは、図２に示すフローチャートのＳ３０４、及びＳ３０５における処理を、Ｓ３１４、及びＳ３１５の処理に換える。
【００３６】
ＯＬＴ４０は、図３に示すＳ３１２の登録を解除する要求をＯＮＵ２０に送信し、ＯＬＴ４０にＯＮＵ２０を未登録のリストに設定した後、Ｓ３１１に示す指定時間とは異なる任意の指定時間が経過しているか否かを判定する（Ｓ３１３）。任意の指定時間が経過していない場合、ラウンドロビンの順番にＯＮＵ２０をディスカバリする必要がないため、ＯＬＴ４０は、登録を解除する要求を送信したＯＮＵ２０のディスカバリの優先度を低下させ（Ｓ３１５）、Ｓ３１３に戻る。
【００３７】
ＯＬＴ４０は、Ｓ３１５において、他のＯＮＵ２０がラウンドロビンの順番に一通りディスカバリされた後に、Ｓ３１２において登録を解除する要求を送信したＯＮＵ２０をディスカバリすることによって、優先度を低下させてもよい。また、ＯＬＴ４０は、ラウンドロビンの順番を変えずに、Ｓ３１２において登録を解除する要求を送信したＯＮＵ２０を、頻度を低くしてディスカバリすることによって、優先度を低下させてもよい。なお、ＯＬＴ４０は、ＯＬＴ４０自らのメモリに含む未登録のＯＮＵ２０のリストを更新することによって、優先度を変更する。
【００３８】
Ｓ３１３において、指定時間が経過したと判定された場合、ＯＬＴ４０は、ＯＮＵ２０のディスカバリの優先度を復元させる（Ｓ３１４）。
【００３９】
前述の図３に示す処理によって、ＯＬＴ４０は、指定時間通信のないＯＮＵ２０を指定期間以上未登録状態にすることができ、当該ＯＮＵ２０による無駄な帯域消費を削減できる。この結果、ＯＬＴ４０は、通信のあるＯＮＵ２０によって光スイッチシステム７０の通信帯域を有効利用することができる。
【００４０】
図４は、本発明の第１の実施形態のＯＬＴ４０の処理を示すフローチャートである。
【００４１】
図４に示すＳ３０１、Ｓ３０２、Ｓ３０３、及びＳ３０５の処理は、図２に示すＳ３０１、Ｓ３０２、Ｓ３０３、及びＳ３０５と同じ処理である。
【００４２】
図４に示すＳ３２４において、ＯＬＴ４０は、ディスカバリの対象から外していたＯＮＵ２０を再びディスカバリの対象に入れ、Ｓ３２４よりも後の処理によって、直ぐに通常のディスカバリのラウンドロビン順に加えず、ディスカバリの優先度を下げて、ディスカバリの順に加える。
【００４３】
Ｓ３２４の後、ＯＬＴ４０は、Ｓ３０１に示す指定時間及びＳ３０３に示す指定時間とは異なる任意の指定時間が経過したか否かを判定する（Ｓ３１３）。Ｓ３１３において、指定時間が経過していない場合、ラウンドロビンの順番にＯＮＵ２０をディスカバリする必要がないため、ＯＬＴ４０は、ＯＮＵ２０のディスカバリの優先度を低下させる（Ｓ３１５）。優先度を低下させる方法は、図３に示すＳ３１５と同じである。なお、Ｓ３１３に示す指定時間は、光スイッチシステム７０が満たすべき要件、又は、ユーザの契約に基づいて、管理者によってあらかじめ定められてもよい。
【００４４】
Ｓ３１３において、指定時間が経過したと判定された場合、ＯＬＴ４０は、ＯＮＵ２０のディスカバリの優先度を復元させる（Ｓ３１４）。
【００４５】
前述の図４に示す処理によって、ＯＬＴ４０は、指定時間通信のないＯＮＵ２０を図３に示す場合以上の期間未登録状態にすることができ、当該ＯＮＵ２０による無駄な帯域消費を削減できる。この結果、ＯＬＴ４０は、通信のあるＯＮＵ２０によって光スイッチシステム７０の通信帯域を有効利用することができる。
【００４６】
図５は、本発明の第１の実施形態のＯＮＵ２０の処理を示すフローチャートである。
【００４７】
図５において、ＯＮＵ２０が、登録され、解除される処理を示す。また、図５における初期状態は、ＯＮＵ２０が未登録状態である。
【００４８】
ＯＮＵ２０は、ディスカバリフェーズにおいて、ＯＬＴ４０からＯＮＵ２０自身がディスカバリされた際、ＯＬＴ４０にＯＮＵ２０を登録する要求を送信する（Ｓ４０１）。また、ＯＮＵ２０も、ＯＮＵ２０自身を未登録状態にする。ＯＮＵ２０は、Ｓ４０１において登録が完了したか否かを判定し（Ｓ４０２）、登録が完了していない場合は、Ｓ４０１の処理に戻る。
【００４９】
また、Ｓ４０２において登録が完了したと判定された場合は、ＯＮＵ２０は、通常状態に入る。
【００５０】
ＯＮＵ２０は、ＯＬＴ４０からＯＮＵ２０の登録を解除する要求を受信したか否かを判定する（Ｓ４０３）。登録を解除する要求を受信した場合、ＯＮＵ２０は、ＯＮＵ２０自身を未登録の状態にし（Ｓ４０４）、初期状態に戻る。また、Ｓ４０３において、登録を解除する要求を受信しない場合、登録を解除する要求を受信するまでＳ４０３の判定を繰り返す。
【００５１】
図５に示す処理は、従来のＯＮＵ２０をそのまま利用することが可能である。
【００５２】
第１の実施形態によれば、ＯＬＴ４０が、指定時間通信のないＯＮＵ２０を指定期間未登録状態にすることができ、当該ＯＮＵ２０による無駄な帯域消費を削減できる。この結果、ＯＬＴ４０は、通信のあるＯＮＵ２０によって光スイッチシステム７０の通信帯域を有効利用することができる。
【００５３】
（第２の実施形態）
第２の実施形態は、第１の実施形態の処理に加えてＯＮＵ２０の一部の電源を遮断し、これによって光スイッチシステム７０の省電力化を図る。第２の実施形態においても、第１の実施形態と同様にＯＬＴ４０が主導的に処理する。
【００５４】
図６は、本発明の第２の実施形態のＯＮＵ２０の構成を示すブロック図である。
【００５５】
ＯＮＵ２０は、端末１０と接続され、端末１０との通信を制御するための端末側回路２０１と、光回線側との通信を制御する光回線側回路２０２及び光部品２０３と、光回線側回路２０２及び光部品２０３の電源を制御する電源制御回路２０４とを備える。
【００５６】
また、ＯＮＵ２０は、ユーザ又は管理者などが外部から電源制御回路２０４に、電源制御モード指定２０５を送信することによって、光回線側回路２０２及び光部品２０３の電源を制御するパターンを指示される。電源を制御するパターンとは、例えば、光回線側回路２０２、及び光部品２０３の両方の電源を遮断するなどである。
【００５７】
また、ＯＮＵ２０は、端末側回路２０１が通信検出通知２１０を電源制御回路２０４に送信することによって、端末１０からの通信があった際に、直ちに光回線側回路２０２及び光部品２０３の電源を制御できる。
【００５８】
また、ＯＮＵ２０は、光部品２０３が光信号検出通知２２０を電源制御回路２０４に送信することによって、光スイッチ３０からの通信があった際に、直ちに光回線側回路２０２及び光部品２０３の電源を制御できる。
【００５９】
光回線側回路２０２は、光部品２０３からの電気信号を復調及び解析し、端末側回路２０１に送信する。また、光回線側回路２０２は、端末側回路２０１から受信した信号を変調し、光部品２０３に送信する。光部品２０３は、光スイッチ３０から送信された光信号を受信し、増幅、電気信号に変換する。また、端末側回路２０１及び光回線側回路を介して送られてきた、端末１０からの電気信号を、光信号に変換し、光スイッチ３０に送信する。
【００６０】
光回線側回路２０２及び光部品２０３は、電源制御回路２０４によって、個別に電源の投入及び遮断を制御される。
【００６１】
図７は、本発明の第２の実施形態のＯＬＴ４０の処理を示すフローチャートである。
【００６２】
図７に示す処理のうち、Ｓ３０１、Ｓ３０３〜Ｓ３０５は、図２に示すＳ３０１、Ｓ３０３〜Ｓ３０５と同じである。図７に示すＳ３２２の処理は、図２に示すＳ３０２のＯＮＵ２０に登録を解除する要求に、ＯＮＵ２０の光回線側の電源を、任意の指定時間遮断する要求を加えた処理である（Ｓ３２２）。
【００６３】
なお、ＯＮＵ２０の光回線側の電源とは、光回線側回路２０２及び光部品２０３の電源のうち、少なくとも一つを示す。光回線側回路２０２のみの電源を遮断する手段は、第５の実施形態において示す手段でもよい。また、Ｓ３２２において、ＯＮＵ２０の光回線側の電源を遮断する任意の指定時間は、光スイッチシステム７０が満たすべき要件などに基づいて、管理者によってあらかじめ定められてもよい。
【００６４】
図７に示す処理によって、第２の実施形態による光スイッチシステム７０は、通信のないＯＮＵ２０の消費電力を削減することができる。
【００６５】
なお、図４に示すフローチャートのＳ３０２の処理に、ＯＮＵ２０の光回線側の電源を指定時間遮断する要求を追加することによって、ＯＮＵ２０の消費電力を削減してもよい。これによって、第２の実施形態の光スイッチシステム７０は、ＯＮＵ２０がディスカバリの対象に含められた後も、当該ＯＮＵ２０のディスカバリ優先度は下げられるため、当該ＯＮＵ２０が使用されるか使用されないか不明確な時間のディスカバリにおいても、当該ＯＮＵ２０による無駄な帯域消費を削減できる。この結果、ＯＬＴ４０は、光スイッチシステム７０の通信帯域を有効利用することができる。
【００６６】
いずれの場合のＯＬＴ４０も、通信のないＯＮＵ２０に任意の指定時間電源を遮断させる。
【００６７】
図７に示すＯＬＴ４０の処理に対応するＯＮＵ２０の処理を、図８に示す。
【００６８】
図８は、本発明の第２の実施形態のＯＮＵ２０の処理を示すフローチャートである。
【００６９】
図８における初期状態は、ＯＮＵ２０が未登録状態である。
【００７０】
ＯＮＵ２０は、ディスカバリフェーズにおいて、ＯＬＴ４０からＯＮＵ２０自身がディスカバリされた際、ＯＮＵ２０自身を登録する要求をＯＬＴ４０に送信する（Ｓ４１１）。ＯＮＵ２０は、登録が完了したか否かを判定する（Ｓ４１２）。Ｓ４１２において、登録が完了しないと判定された場合は、ＯＮＵ２０は、Ｓ４１１の処理に戻る。
【００７１】
Ｓ４１２において登録が完了したと判定された場合、ＯＮＵ２０は、通常状態に入り、ＯＬＴ４０から送信されるＯＮＵ２０の光回線側の電源を遮断する要求と、ＯＮＵ２０の登録を解除する要求とを受信したか否かを判定する（Ｓ４１３）。Ｓ４１３において、いずれの要求もＯＬＴ４０から受信しない場合、ＯＮＵ２０は、要求を受信するまでＳ４１３の判定を繰り返す。
【００７２】
Ｓ４１３においてＯＬＴ４０からＯＮＵ２０に光回線側の電源を遮断する要求とＯＮＵ２０の登録を解除する要求との両方を受信した場合、ＯＮＵ２０は、ＯＮＵ２０自身の登録を解除する（Ｓ４１４）。続いて、ＯＮＵ２０は、図６に示す光回線側回路２０２及び光部品２０３の電源を遮断する（Ｓ４１５）。その後、ＯＮＵ２０は、端末１０から通信があるか、又は、図７に示すＳ３２２においてＯＬＴ４０によって指定された任意の指定時間が経過した場合（Ｓ４１６）、電源を遮断した光回線側回路２０２と光部品２０３との電源を投入し（Ｓ４１７）、Ｓ４１１に戻る。
【００７３】
第２の実施形態によれば、ＯＮＵ２０は、ＯＬＴ４０からの要求によって、当該ＯＮＵ２０自身が登録を解除されている際の当該ＯＮＵ２０による消費電力を削減できる。なおかつ、当該ＯＮＵ２０による無駄な帯域消費を削減できるため、ＯＬＴ４０は、通信のあるＯＮＵ２０によって光スイッチシステム７０の通信帯域を有効利用することができる。
【００７４】
（第３の実施形態）
第３の実施形態は、ＯＮＵ２０が主導的にＯＮＵ２０の登録を解除する。
【００７５】
図９は、本発明の第３の実施形態のＯＮＵ２０の処理を示すフローチャートである。
【００７６】
図９の初期状態は、ＯＮＵ２０が未登録状態である。ＯＮＵ２０は、ディスカバリフェーズにおいて、ＯＬＴ４０からＯＮＵ２０自身がディスカバリされた際、ＯＮＵ２０自身を登録する要求をＯＬＴ４０に送信する（Ｓ４２１）。ＯＮＵ２０は、登録が完了したか否かを判定する（Ｓ４２２）。Ｓ４２２において、登録が完了しないと判定された場合は、ＯＮＵ２０は、Ｓ４２１の処理に戻る。
【００７７】
Ｓ４１２において登録が完了したと判定された場合、ＯＮＵ２０は、通常状態に入り、図６に示す端末側回路２０１によって、任意の指定時間内に端末１０からの通信があるか否かを判定する（Ｓ４２３）。任意の指定時間内に端末１０からの通信がある場合、ディスカバリの優先度を下げる必要はないため、ＯＮＵ２０は、Ｓ４２３の判定を繰り返す。
【００７８】
Ｓ４２３において、端末側回路２０１によって任意の指定時間内に端末１０からの通信がないと判定された場合、ＯＮＵ２０は、Ｓ４２３に示す指定時間とは異なる任意の指定時間、ＯＮＵ２０のディスカバリの優先度を下げる要求をＯＬＴ４０に送信するか、又は、ＯＮＵ２０をディスカバリの対象から外す要求を、ＯＬＴ４０に送信する（Ｓ４２４）。続けて、ＯＮＵ２０は、ＯＬＴ４０に、登録を解除する要求を送信し（Ｓ４２５）、ＯＮＵ２０自身も未登録状態にする（Ｓ４２６）。その後、ＯＮＵ２０は、Ｓ４２１の処理に戻る。
【００７９】
なお、Ｓ４２３及びＳ４２４に示す指定時間は、各々、光スイッチシステム７０が満たすべき要件などに基づいて、管理者又はユーザによってあらかじめ定められてもよい。
【００８０】
図９に示すＯＮＵ２０の処理に対応するＯＬＴ４０の処理を図１０と図１１に示す。
【００８１】
図１０は、本発明の第３の実施形態のＯＬＴ４０の処理を示すフローチャートである。
【００８２】
ＯＬＴ４０は、ＯＮＵ２０から、ＯＮＵ２０を任意の指定時間ディスカバリの対象から外す要求とＯＮＵ２０の登録を解除する要求とを受信したか否かを判定する（Ｓ３４１）。ＯＮＵ２０を任意の指定時間ディスカバリの対象から外す要求とＯＮＵ２０の登録を解除する要求とを受信していない場合、ＯＬＴ４０は、Ｓ３４１の判定を繰り返す。
【００８３】
ＯＮＵ２０を任意の指定時間ディスカバリの対象から外す要求とＯＮＵ２０の登録を解除する要求とを受信した場合、ＯＬＴ４０は、要求が送信されたＯＮＵ２０の登録を解除する。すなわち、ＯＬＴ４０は、未登録のＯＮＵ２０のリストに、要求が送信されたＯＮＵ２０を追加する（Ｓ３４２）。
【００８４】
その後、ＯＬＴ４０は、ＯＮＵ２０によって指定された任意の指定時間が経過しているか否かを判定する（Ｓ３４３）。Ｓ３４３において、ＯＮＵ２０によって指定された任意の指定時間が経過していないと判定された場合、ＯＬＴ４０は、ディスカバリフェーズにおいて、ＯＮＵ２０をディスカバリとしない（Ｓ３４５）。その後、ＯＬＴ４０は、Ｓ３４３の処理に戻る。
【００８５】
Ｓ３４３において、ＯＮＵ２０によって指定された任意の指定時間が経過したと判定される場合、ＯＮＵ２０をディスカバリの対象にする（Ｓ３４４）。
【００８６】
図１１は、本発明の第３の実施形態のＯＬＴ４０の処理を示すフローチャートである。
【００８７】
ＯＬＴ４０は、ＯＮＵ２０から、ＯＮＵ２０を任意の指定時間のディスカバリの優先度を下げる要求とＯＮＵ２０の登録を解除する要求とを受信したか否かを判定する（Ｓ３５１）。ＯＮＵ２０を任意の指定時間ディスカバリの優先度を下げる要求とＯＮＵ２０の登録を解除する要求とを受信しない場合、ＯＬＴ４０は、Ｓ３５１の判定を繰り返す。
【００８８】
ＯＮＵ２０を任意の指定時間のディスカバリの優先度を下げる要求とＯＮＵ２０の登録を解除する要求とを受信した場合、ＯＬＴ４０は、要求が送信されたＯＮＵ２０の登録を解除する（Ｓ３５２）。
【００８９】
ＯＬＴ４０は、ＯＮＵ２０によって指定された任意の指定時間が経過しているか否かを判定する（Ｓ３５３）。Ｓ３５３において、ＯＮＵ２０によって指定された任意の指定時間が経過していない場合、ＯＬＴ４０は、第１の実施形態に示す処理によってＯＮＵ２０のディスカバリ優先度を下げる（Ｓ３５５）。Ｓ３５３において、ＯＮＵ２０によって指定された任意の指定時間が経過したと判定された場合、ＯＬＴ４０は、ＯＮＵ２０のディスカバリの優先度を元に戻す（Ｓ３５４）。
【００９０】
なお、図９、図１０及び図１１において、ＯＮＵ２０をディスカバリの対象から外す任意の指定時間、及びＯＮＵ２０のディスカバリの優先度を下げる任意の指定時間を、ＯＮＵ２０が指定した。しかし、任意の指定時間は、管理者によって、ＯＬＴ４０にあらかじめ指定されてもよい。
【００９１】
第３の実施形態によれば、端末１０から通信がないＯＮＵ２０が、当該ＯＮＵ２０自らをディスカバリの対象から外すことによって、当該ＯＮＵ２０による無駄な帯域消費を削減できる。このため、ＯＬＴ４０は、光スイッチシステム７０の通信帯域を有効利用することができる。
【００９２】
（第４の実施形態）
第４の実施形態は、ＯＮＵ２０が主導的にＯＮＵ２０の登録を解除し、ＯＮＵ２０の電源を遮断する。
【００９３】
図１２は、本発明の第４の実施形態のＯＮＵ２０の処理を示すフローチャートである。
【００９４】
図１２に示すフローチャートは、ＯＮＵ２０が主導的に、ＯＮＵ２０の登録を解除する処理と、ＯＮＵ２０の電源を遮断する処理を示す。図１２の初期状態は、ＯＮＵ２０が未登録状態である。
【００９５】
ＯＮＵ２０は、ディスカバリフェーズにおいて、ＯＬＴ４０からＯＮＵ２０自身がディスカバリされた際、ＯＮＵ２０自身を登録する要求をＯＬＴ４０に送信する（Ｓ４３１）。ＯＮＵ２０は、登録が完了したか否かを判定する（Ｓ４３２）。Ｓ４３２において、登録が完了しないと判定された場合は、ＯＮＵ２０は、Ｓ４３１の処理に戻る。
【００９６】
Ｓ４３２において登録が完了したと判定された場合、ＯＮＵ２０は、通常状態に入り、図６に示すユーザ端末側回路２０１によって、任意の指定時間内に端末１０からの通信があるか否かを判定する（Ｓ４３３）。任意の指定時間内に端末１０からの通信がある場合、ディスカバリの優先度を下げる必要はないため、ＯＮＵ２０は、Ｓ４３３の判定を繰り返す。
【００９７】
Ｓ４３３において、端末側回路２０１によって任意の指定時間内に端末１０からの通信がないと判定された場合、ＯＮＵ２０は、Ｓ４３３に示す指定時間とは異なる任意の指定時間、ＯＮＵ２０のディスカバリの優先度を下げる要求、又は、ＯＮＵ２０をディスカバリの対象から外す要求を、ＯＬＴ４０に送信する（Ｓ４３４）。続けて、ＯＮＵ２０は、ＯＬＴ４０に、登録を解除する要求を送信し（Ｓ４３５）、ＯＮＵ２０自身も未登録状態にする（Ｓ４３６）。
【００９８】
続いて、ＯＮＵ２０は、図６に示す光回線側回路２０２と光部品２０３との電源を遮断する（Ｓ４３７）。その後、端末１０から通信があるか、又は、Ｓ４３３及びＳ４３４
に示す指定時間とは異なる任意の指定時間が経過した場合（Ｓ４３８）、ＯＮＵ２０は、電源を遮断した光回線側回路２０２と光部品２０３との電源を、投入し（Ｓ４３９）、Ｓ４３１の処理に戻る。
【００９９】
なお、Ｓ４３３、Ｓ４３４、及びＳ４３８に示す指定時間は、各々、光スイッチシステム７０が満たすべき要件などに基づいて、管理者又はユーザによってあらかじめ定められてもよい。
【０１００】
第４の実施形態におけるＯＬＴ４０のフローチャートは、図１０及び図１１に示すフローチャートと同じである。また、図１２において、ＯＮＵ２０をディスカバリの対象から外す任意の指定時間、及びＯＮＵ２０のディスカバリの優先度を下げる任意の指定時間を、ＯＮＵ２０が指定した。しかし、任意の指定時間は、管理者によって、ＯＬＴ４０にあらかじめ指定されてもよい。
【０１０１】
第４の実施形態によれば、ＯＮＵ２０は、ＯＮＵ２０自身が登録を解除されている際のＯＮＵ２０自身による消費電力を削減できる。
【０１０２】
（第５の実施形態）
第５の実施形態において、ＯＮＵ２０は、端末側回路２０１が受信する通信だけではなく、光部品２０３において受信する通信の有無を判定し、通信があると判定した場合、光回線回路２０２の電源を投入する。
【０１０３】
図１３に示す光スイッチシステム７０は、光スイッチ３０を利用するため、ＯＬＴ４０と任意のひとつのＯＮＵ２０とだけが接続される。このため、１０Ｇ−ＥＰＯＮのように、ＯＮＵ２０は、ＯＮＵ２０のＲＳ（Ｒｅｃｏｎｃｉｌｉａｔｉｏｎ  Ｓｕｂｌａｙｅｒ：リコンシリエーション副層）において、ＬＬＩＤによって自身宛の光信号か否かを判定しなくても、ＯＮＵ２０自身に光信号が到着すれば、その光信号が自身宛の光通信であることがわかる。
【０１０４】
この特性を利用し、図６に示す光部品２０３は、ＯＬＴ４０からの光信号を検出すると光信号検出通知２２０によって、電源制御回路２０４に光信号を検出したことを通知する。
【０１０５】
光部品２０３は、ＯＬＴ４０からの光信号を常時検出する必要があるため、第５の実施形態において、電源制御回路２０４は、光回線側回路２０２のみの電源を制御する。
【０１０６】
なお、ＯＮＵ２０における通信がない場合、ユーザ又は管理者は、ＯＮＵ２０のうちいずれの部分の電源を制御するか否かを、電源制御モード指定２０５を用いて電源制御回路２０４に指示してもよい。また、ユーザ又は管理者は、いずれの部分の電源を制御するか否かを、あらかじめ電源制御回路２０４に設定しておいてもよい。
【０１０７】
例えば、ユーザ又は管理者が、ＯＮＵ２０を省電力モードにしたいと考えた場合、電源制御モード指定２０５を用いて、ＯＮＵ２０における通信がない場合は、光回線回路２０２の電源を遮断するとしてもよい。
【０１０８】
ＯＬＴ４０が主導的にＯＮＵ２０の登録を解除する処理とＯＮＵ２０の電源を遮断する処理とを行う場合、第５の実施形態におけるＯＬＴ４０のフローチャートは、図４に示すフローチャートのうち、Ｓ３０２の処理に、ＯＮＵ２０の光回線側回路２０２の電源を一時的に遮断する要求を追加したフローチャートである。又は、第５の実施形態におけるＯＬＴ４０のフローチャートは、図７に示すフローチャートのうち、Ｓ３２２の処理を、ＯＮＵ２０の光回線側回路２０２の電源を一時的に遮断する要求、及びＯＮＵ２０の登録を解除する要求を送信する処理に変えたフローチャートである。
【０１０９】
ＯＬＴ４０が主導的にＯＮＵ２０の登録を解除する処理とＯＮＵ２０の電源を遮断する処理とを行う場合、第５の実施形態におけるＯＮＵ２０のフローチャートは、図８に示すＳ４１６を、端末１０からの通信があった場合、及び、光スイッチ３０から通信があった場合に変更したフローチャートである。光スイッチ３０から通信があるか否かは、前述の光信号検出通知２２０によって判定する。ＯＮＵ２０は、電源を遮断する要求を受信すると光回線側回路２０２のみの電源を遮断する。
【０１１０】
ＯＮＵ２０が主導的にＯＮＵ２０の登録を解除する処理とＯＮＵ２０の電源を遮断する処理とを行う場合、第５の実施形態におけるＯＮＵ２０のフローチャートは、図１２に示すＳ４３８を、端末１０からの通信があった場合、及び、光スイッチ３０からの通信があった場合に変更する。光スイッチ３０からの通信があるか否かは、前述の光信号検出通知２２０によって判定する。
【０１１１】
ＯＮＵ２０が主導的にＯＮＵ２０の登録を解除する処理とＯＮＵ２０の電源を遮断する処理とを行う場合、第５の実施形態におけるＯＬＴ４０のフローチャートは、図１０、又は、図１１に示すフローチャートと同じである。
【０１１２】
前記いずれのＯＬＴ４０とＯＮＵ２０を用いても、ＯＮＵ２０の光回線側回路２０２の電源遮断後、端末側からの通信要求、又は、ＯＬＴ４０側からの通信要求があった時点で、ＯＮＵ２０の光回線側回路２０２部分の電源が投入される。すなわち、ＯＮＵ２０は、ＯＬＴ４０からのディスカバリによって、光回線側回路２０２の電源を投入する。
【０１１３】
第５の実施形態によれば、ＯＮＵ２０による通信がない場合、ＯＮＵ２０における消費電力を削減できる。
【０１１４】
なお、前述の実施形態は、実施の一形態に過ぎず、本発明の技術的思想及び技術的範囲から離れることなく、様々な変形が可能である。また、前述の実施形態において、ＯＬＴ４０が主導的に処理する実施形態と、ＯＮＵ２０が主導的に処理する実施形態とを記載したが、両者の実施形態が、同じ光スイッチシステム７０において、共存するように実装してもよい。
【産業上の利用可能性】
【０１１５】
本発明は、光スイッチを用いる光アクセスネットワークシステムにおいて利用可能である。若干の修正により光スプリッタを用いる光アクセスネットワークシステムにおいても利用可能である。
【符号の説明】
【０１１６】
１０  ユーザ端末
２０  ＯＮＵ
３０  光スイッチ
４０  ＯＬＴ
５０  ゲートウェイ
６０  バックボーンネットワーク
７０  アクセス網
２０１  ＯＮＵの端末側回路
２０２  ＯＮＵの光回線側回路
２０３  ＯＮＵの光部品
２０４  ＯＮＵの電源制御回路
２０５  ＯＮＵの電源制御モード指定手段
２１０  ＯＮＵの端末側回路の通信検出手段
２２０  ＯＮＵの光部品の光信号検出手段
【図１】
2010239278.tif 000003
【図２】
2010239278.tif 000004
【図３】
2010239278.tif 000005
【図４】
2010239278.tif 000006
【図５】
2010239278.tif 000007
【図６】
2010239278.tif 000008
【図７】
2010239278.tif 000009
【図８】
2010239278.tif 000010
【図９】
2010239278.tif 000011
【図１０】
2010239278.tif 000012
【図１１】
2010239278.tif 000013
【図１２】
2010239278.tif 000014
【図１３】
2010239278.tif 000015